(57)【要約】【課題】墓石の前に設置して線香やろうそくを灯すのに用いる香炉台に関し、香炉台に設けた扉付きの空洞内でろうそくや線香を灯す構造の香炉台において、ろうそくや線香を灯して参拝しているときの美観に優れ、それらの火が消えた後の外観を損ねることがなく、またろうそくや線香の有無にかかわらず、香炉台に墓所に適した装飾を施すことが可能な技術手段を得る。【解決手段】ろうそく立てや線香立てを設けた空洞の前面の扉４にガラス板などの透明板５を設けた香炉台において、当該透明板に半透明面１３と透明面１２とで蓮や鳳凰などの絵柄、家紋などの模様、家名などの文字の少なくとも１種、好ましくは家名又は家紋とその他の絵柄ないし模様とを含む装飾を形成する。透明板５としては、耐熱性及び耐光性の点でガラス板を用いるのが好ましく、半透明面１３は、ガラス板の表面を磨りガラス面とすることで容易に形成できる。【選択図】      図２
2006299560.tif 000002
【特許請求の範囲】
【請求項１】
前面に扉を備えた空洞内にろうそく立てないし線香立てを設けた香炉台において、前記扉に設けた透明板に半透明面と透明面とで形成した絵柄、模様ないし文字を含む装飾が施されていることを特徴とする、墓の香炉台。
【請求項２】
半透明面が透明板の前面を租面にした磨りガラス面である、請求項１記載の香炉台。
【請求項３】
前記絵柄、模様ないし文字が透明面を主体にして形成され、当該絵柄、模様ないし文字の背景面が半透明面である、請求項１又は２記載の香炉台。
【発明の詳細な説明】
【技術分野】
【０００１】
この発明は、墓石の前に設置して線香やろうそくを灯すのに用いる香炉台に関するもので、特に香炉台に設けた空洞内で線香やろうそくを灯すようにした香炉台の当該空洞に設ける扉の構造に関するものである。
【背景技術】
【０００２】
墓所に設ける一般的な香炉台は、石製の台の上面にろうそく立てや線香立てを設けたものであるが、風雨によってろうそくや線香の火が消えるのを防止した香炉台として、台の前面をくり貫いて形成した空洞の底部にろうそく立てや線香立てを設置し、更にその前面に両開きの扉を設けたものが提案されている。これらの香炉台は、扉を開いてろうそくや線香を灯し、風雨でろうそくの火や線香の火が消えるときは、扉を閉めた状態でろうそくや線香を燃焼させる。
【０００３】
この扉には、扉を閉めた状態で空洞内に灯したろうそくや線香の火が見えるように、ガラスなどの透明板を嵌め込んだり、多数の貫通孔を設けたりしている。
【特許文献１】特開平９−２８５４９号公報
【特許文献２】特開２００４−２２５２６６号公報
【発明の開示】
【発明が解決しようとする課題】
【０００４】
参拝時に灯したろうそくや線香は、自然に消えるまでそのままにしておかれるのが普通である。そのため、燃え残ったろうそくや線香が空洞内に残った見苦しい状態で次の参拝者が来るまで放置されることが多い。扉に透明板を設ける従来構造は、空洞内に灯したろうそくや線香の火が良く見えるという長所があるが、燃え残ったろうそくや線香もはっきり見えることとなり、それが参拝者が去った後の墓の外観を害する。一方、不透明な扉に多数の貫通孔を設ける構造は、加工が面倒で人手が掛り、貫通孔の配置態様により扉に装飾を付与できるが、得られる装飾には限界がある。
【０００５】
この発明は、香炉台に設けた扉付きの空洞内でろうそくや線香を灯す構造の香炉台において、ろうそくや線香を灯して参拝しているときの美観に優れ、それらの火が消えた後の外観を損ねることがなく、またろうそくや線香の有無にかかわらず、香炉台に墓所に適した装飾を施すことが可能な技術手段を得ることを課題にしている。
【課題を解決するための手段】
【０００６】
この発明は、ろうそく立てや線香立てを設けた空洞の前面の扉４にガラス板などの透明板５を設けた香炉台において、当該透明板に半透明面１３と透明面１２とで蓮や鳳凰などの絵柄、家紋などの模様、家名などの文字の少なくとも１種、好ましくは家名又は家紋とその他の絵柄ないし模様とを含む装飾を形成することにより、上記課題を解決している。
【０００７】
透明板５としては、耐熱性及び耐光性の点でガラス板を用いるのが好ましい。半透明面１３は、サンドブラストなどで透明なガラス板の表面を粗面（磨りガラス面）とすることで容易に形成できる。具体的には、形成しようとする絵柄、模様ないし文字に対応する形状のマスクをかけたガラス面にサンドブラストをかけることにより、背景となる面を含む露出面を磨りガラス面とする。この磨りガラス面を扉の前面（外側面）に形成することにより、外光がガラス板表面で反射するのを和らげることができ、外形面を含むガラス板表面の半分以上の面積を前面を粗面とした磨りガラス面とすることにより、墓所に適した落ち着いた雰囲気の装飾とすることができる。
【０００８】
本願の請求項１の発明に係る墓の香炉台は、前面に扉を備えた空洞内にろうそく立てないし線香立てを設けた香炉台において、前記扉に設けた透明板に半透明面と透明面とで形成した絵柄、模様ないし文字を含む装飾が施されていることを特徴とするものである。
【０００９】
本願の請求項２の発明に係る墓の香炉台は、上記構造を備えた香炉台において、半透明面が透明板の前面を租面にした磨りガラス面であることを特徴とするものである。
【００１０】
本願の請求項３の発明に係る墓の香炉台は、上記構造を備えた香炉台において、前記絵柄、模様ないし文字が透明面を主体にして形成され、当該絵柄、模様ないし文字の背景面が半透明面であることを特徴とするものである。
【発明の効果】
【００１１】
磨りガラス面などの半透明面１３は、その面を通過する光や反射する光を散乱させる。空洞内にろうそくを灯して扉を閉めると、半透明面１３を通過するろうそくの光が散乱して明るく輝き、またろうそくの火が消えたときは、外光が半透明面で乱反射して不透明な白色面に見え、空洞３内が暗くなるので、透明面１２は黒くなる。従っていずれの場合でも扉４の透明板５に形成した装飾がはっきりと見え、香炉台１に優れた装飾性を付与することができる。また、空洞内でろうそくや線香が燃焼しているときは、透明面１２を覗き込んで、その燃焼状態を確認できる。
【００１２】
そして、空洞内のろうそくや線香が消えた後は、半透明面１３の存在によって空洞３内への外光の侵入が制限されるので、空洞３内が暗くなり、透明板５上で透明面１２が占める面積割合も小さいので、内部が見えにくくなり、ろうそくや線香の燃えかすが見えにくくなるので、墓の美感が損なわれることがない。
【発明を実施するための最良の形態】
【００１３】
以下、図面を参照してこの発明の実施形態を説明する。図１は扉を開いた状態で示す香炉台の斜視図、図２は閉扉状態での扉部分の正面図である。
【００１４】
図の香炉台１は石製で、上面両側に穿孔した縦孔にステンレス製の花立て２が嵌装されている。香炉台１の前面中央には、空洞３が形成され、その開口部に両開き構造の扉４が設けられている。扉４は、ステンレス板製の枠１４にガラス板５を嵌め込んだ構造である。空洞３内には、引出し可能な台板６が設けられ、この台板６上にろうそく立て７及び線香立て８が取り付けられている。
【００１５】
扉のガラス板５には、図２に示すように、蓮の絵柄１０や家名を示す文字１１がその絵柄や文字の線を透明面１２とし、他の部分を磨りガラス面１３とすることにより、形成されている。このような絵柄ないし文字は、透明面１２とする部分をマスキングした状態で、ガラス表面をサンドブラスト処理することによって容易に形成できる。このようにして模様を形成したガラス板５の表面は、その半分以上、通常は７ないし９割が半透明面１３となる。
【００１６】
上記構造の香炉台１は、墓石の前に設置され、参拝するときは、扉４を開いてろうそくと線香を供えて火をつける。参拝中は扉４を開いておいてもよいし、閉じてもよいが、参拝が終わったら扉４を閉じる。扉の枠１４の部分や空洞３の奥面に通気用のスリットや通気孔１５を設けておくことによって、閉扉状態でろうそくや線香を燃焼させ続けておくことができる。火が消えた後の燃えかすは、閉扉状態の空洞内に残る。この燃えかすは、透明面１２から覗き込まない限り殆ど視認できない。残った燃えかすは、次に訪れた参拝者によって取り除かれ、新しいろうそくと線香が供えられる。
【図面の簡単な説明】
【００１７】
【図１】この発明の香炉台の一例を示す開扉状態の斜視図
【図２】図１の香炉台の閉扉状態での扉部分の正面図
【符号の説明】
【００１８】
４  扉
５  透明板
12  透明面
13  半透明板
【図１】
2006299560.tif 000003
【図２】
2006299560.tif 000004